(57)【要約】【課題】視聴予約された放送番組を確実に視聴できるようにすることを目的とする。【解決手段】受信された放送番組に係る映像及び音声をモニタ装置に出力する出力手段と、放送番組の放送前に、放送番組の放送開始時刻を含む予約情報を保存する予約設定手段と、予約情報に含まれる放送開始時刻に基づいて、放送開始時刻の前に、外部操作装置に対して放送開始時刻の接近を通知する通知手段と、外部操作装置からの操作指示を受信する受信手段と、通知手段において放送開始時刻の接近を通知した後に、外部操作装置から視聴要求の操作指示を受信すると、予約情報に関する放送番組に係る映像及び音声を出力するよう、出力手段を制御する制御手段と、を有することによって前記課題を解決する。【選択図】図４
2007281602.tif 000002
【特許請求の範囲】
【請求項１】
受信された放送番組に係る映像及び音声をモニタ装置に出力する出力手段と、
放送番組の放送前に、前記放送番組の放送開始時刻を含む予約情報を保存する予約設定手段と、
前記予約情報に含まれる前記放送開始時刻に基づいて、前記放送開始時刻の前に、外部操作装置に対して放送開始時刻の接近を通知する通知手段と、
前記外部操作装置からの操作指示を受信する受信手段と、
前記通知手段において前記放送開始時刻の接近を通知した後に、前記外部操作装置から視聴要求の操作指示を受信すると、前記予約情報に関する放送番組に係る映像及び音声を出力するよう、前記出力手段を制御する制御手段と、
を有することを特徴とする受信装置。
【請求項２】
前記通知手段は、現在の時刻が前記予約設定された放送番組の放送開始時刻の一定時間前となったことを検知する検知手段を有し、前記検知手段の出力に応じて前記放送開始時刻の接近を通知することを特徴とする請求項１に記載の受信装置
【請求項３】
前記制御手段は、前記通知手段が前記放送開始時刻の接近を通知した後から前記予約情報に関する放送番組の放送開始時刻までの間に、前記受信手段が前記外部操作装置から視聴要求の操作指示を受信したと判断すると、前記予約情報に関する放送番組に係る映像及び音声を出力するよう、前記出力手段を制御することを特徴とする請求項１又は２に記載の受信装置。
【請求項４】
受信された放送番組に係る映像及び音声を記録媒体に記録する記録手段を更に有し、
前記制御手段は、前記通知手段が前記放送開始時刻の接近を通知した後から前記予約情報に関する放送番組の放送開始時刻までの間に、前記受信手段が前記外部操作装置から視聴要求の操作指示を受信しなかったと判断すると、前記予約情報に関する放送番組に係る映像及び音声を前記記録媒体に記録するよう、前記記録手段を制御することを特徴とする請求項１乃至３の何れか１項に記載の受信装置。
【請求項５】
前記通知手段は、前記予約情報に含まれる前記放送開始時刻に基づいて、前記放送開始時刻の一定時間前から前記放送開始時刻までの間、継続して放送開始時刻の接近を通知することを特徴とする請求項１乃至４の何れか１項に記載の受信装置。
【請求項６】
受信された放送番組に係る映像及び音声を記録媒体に記録する記録手段と、
放送番組の放送前に、前記放送番組の放送開始時刻を含む予約情報を保存する予約設定手段と、
前記予約情報に含まれる前記放送開始時刻に基づいて、前記放送開始時刻の前に、放送開始時刻の接近を通知する通知手段と、
前記外部操作装置からの操作指示を受信する受信手段と、
前記通知手段において前記放送開始時刻の接近を通知した後に、前記外部操作装置から視聴要求の操作指示を受信しないと、前記予約情報に関する放送番組に係る映像及び音声を前記記録媒体に記録するよう、前記記録手段を制御する制御手段と、
を有することを特徴とする受信装置。
【請求項７】
受信された放送番組に係る映像及び音声をモニタ装置に出力する出力手段を有する受信装置における番組予約方法であって、
放送番組の放送前に、前記放送番組の放送開始時刻を含む予約情報を保存する予約設定ステップと、
前記予約情報に含まれる前記放送開始時刻に基づいて、前記放送開始時刻の前に、外部操作装置に対して放送開始時刻の接近を通知する通知ステップと、
前記外部操作装置からの操作指示を受信する受信ステップと、
前記通知ステップにおいて前記放送開始時刻の接近を通知した後に、前記外部操作装置から視聴要求の操作指示を受信すると、前記予約情報に関する放送番組に係る映像及び音声を出力するよう、前記出力手段を制御する制御ステップと、
を有することを特徴とする番組予約方法。
【請求項８】
受信された放送番組に係る映像及び音声を記録媒体に記録する記録手段を有する受信装置における番組予約方法であって、
放送番組の放送前に、前記放送番組の放送開始時刻を含む予約情報を保存する予約設定ステップと、
前記予約情報に含まれる前記放送開始時刻に基づいて、前記放送開始時刻の前に、放送開始時刻の接近を通知する通知ステップと、
前記外部操作装置からの操作指示を受信する受信ステップと、
前記通知ステップにおいて前記放送開始時刻の接近を通知した後に、前記外部操作装置から視聴要求の操作指示を受信しないと、前記予約情報に関する放送番組に係る映像及び音声を前記記録媒体に記録するよう、前記記録手段を制御する制御ステップと、
を有することを特徴とする番組予約方法。
【発明の詳細な説明】
【技術分野】
【０００１】
本発明は、受信装置及び番組予約方法に関する。
【背景技術】
【０００２】
近年、ＢＳデジタルや地上デジタル放送の開始に伴い、この様なデジタル放送を受信するデジタルテレビ装置（ＤＴＶ）が登場している。デジタル放送では、通常の放送番組に加え、電子番組ガイド（ＥＰＧ）情報が多重されて放送されている。ＤＴＶ装置では、このＥＰＧを使うことで、簡単に視聴予約を行うことができる。
また、従来、視聴予約を行なった番組の放送開始前に、ユーザに対して予告通知を発する技術が知られている（例えば、特許文献１参照。）。
【０００３】
【特許文献１】特開２００３−１８４８３号公報
【発明の開示】
【発明が解決しようとする課題】
【０００４】
しかしながら、特許文献１に記載されている構成では、予告通知されたときに、ユーザがＤＴＶ装置の傍にいないような場合、ユーザは予告通知されても、ＤＴＶを視聴することができない問題がある。また、予告通知されたときに、ユーザがＤＴＶ装置の傍にいて視聴可能な場合、直ぐに視聴予約した番組をＤＴＶ装置に出力表示させ、視聴したい場合もある。
【０００５】
本発明はこのような問題点に鑑みなされたもので、視聴予約された放送番組を確実に視聴できるようにすることを目的とする。
【課題を解決するための手段】
【０００６】
そこで、上述したような問題を解決するため、本発明の受信装置は、受信された放送番組に係る映像及び音声をモニタ装置に出力する出力手段と、放送番組の放送前に、前記放送番組の放送開始時刻を含む予約情報を保存する予約設定手段と、前記予約情報に含まれる前記放送開始時刻に基づいて、前記放送開始時刻の前に、外部操作装置に対して放送開始時刻の接近を通知する通知手段と、前記外部操作装置からの操作指示を受信する受信手段と、前記通知手段において前記放送開始時刻の接近を通知した後に、前記外部操作装置から視聴要求の操作指示を受信すると、前記予約情報に関する放送番組に係る映像及び音声を出力するよう、前記出力手段を制御する制御手段と、を有することを特徴とする。
【０００７】
係る構成とすることにより、放送開始時刻の接近を通知した後に、外部操作装置から視聴要求の操作指示を受信すると、映像及び音声を受信し、出力するよう制御する。よって、ユーザが受信装置の近くにいたときは、視聴予約された放送番組を速やかに、且つ確実に視聴できるようにすることができる。
【０００８】
なお、受信装置とは、例えば、後述するＤＴＶ装置等に対応する。また、外部操作装置とは、例えば、後述するリモコン装置又は携帯電話装置等に対応する。
【０００９】
また、本発明の受信装置は、受信された放送番組に係る映像及び音声を記録媒体に記録する記録手段と、放送番組の放送前に、前記放送番組の放送開始時刻を含む予約情報を保存する予約設定手段と、前記予約情報に含まれる前記放送開始時刻に基づいて、前記放送開始時刻の前に、放送開始時刻の接近を通知する通知手段と、前記外部操作装置からの操作指示を受信する受信手段と、前記通知手段において前記放送開始時刻の接近を通知した後に、前記外部操作装置から視聴要求の操作指示を受信しないと、前記予約情報に関する放送番組に係る映像及び音声を前記記録媒体に記録するよう、前記記録手段を制御する制御手段と、を有することを特徴とする。
【００１０】
係る構成とすることにより、放送開始時刻の接近を通知した後に、外部操作装置から視聴要求の操作指示を受信しないと、映像及び音声を受信し、記録媒体に記録するよう制御する。よって、ユーザが受信装置の近くにいなかったときでも、視聴予約された放送番組を確実に視聴できるようにすることができる。
【００１１】
また、前記問題を解決するため、本発明は、番組予約方法としてもよい。
【発明の効果】
【００１２】
本発明によれば、視聴予約された放送番組を確実に視聴できるようにすることができる。
【発明を実施するための最良の形態】
【００１３】
以下、本発明の実施形態について図面に基づいて説明する。
【００１４】
（実施形態１）
図１は、実施形態１におけるＤＴＶ装置等の外観図である。図１には、ＤＴＶ装置１００と、ＤＴＶ装置１００を操作するリモコン装置１１０と、が表示されている。
【００１５】
図２は、リモコン装置１１０のより詳細な外観図である。２００は、リモコン装置本体である。２１０は、ＤＴＶ装置の電源のＯＮ／ＯＦＦを制御するための電源ボタンである。２２０は、ＤＴＶ装置に視聴要求を通知するための視聴ボタンである。２３０は、ＤＴＶ装置に録画要求を通知するための録画ボタンである。また、リモコン装置２００には、図２に示されるボタン以外に、ＤＴＶ装置に対して視聴予約するためのボタン、ＤＴＶ装置の番組チャネルを選択するためのチャネルアップダウンボタン、ＤＴＶ装置の音量を制御するためのアップダウンボタン等がある。
【００１６】
図３は、実施形態１におけるＤＴＶ装置の内部構成を示すブロック図である。３０１は、デジタル放送電波を受信するアンテナである。３０２は、アンテナ３０１から受信された電波を選局、同調するチューナーである。３０３は、選局された電波を復号し、信号に変換する復調回路である。３０４は、復調された信号からＴＳ信号を分離するＴＳデコーダ回路である。
【００１７】
３０５は、分離されたＴＳ信号より映像デコードを行う映像デコーダ回路である。３０６は、同じくＴＳ信号より音声デコードを行う音声デコーダ回路である。３０７は、同じくＴＳ信号よりデータ放送のデコードを行うデータ放送デコーダ回路である。３０８は、ＤＴＶ装置内部で作成された各種映像情報を合成して出力する画像合成回路である。
【００１８】
３０９は、ＤＴＶ装置の表示画面となるモニタである。３１０は、ＤＴＶ装置の各種制御のためのプログラム及び搭載されたアプリケーションのプログラム及び各種データを格納するＲＯＭである。３１１は、ＤＴＶ装置の各種制御の為のプログラム及び搭載されたアプリケーションのプログラム及び各種データを格納し、更に、前記アプリケーション（又は各種プログラム）を動作させるためのワークとなるＲＡＭである。３１２は、ＤＴＶ装置の各種制御及びアプリケーション（又はプログラム）を実行するＣＰＵである。
【００１９】
３１３は、アンテナ３０１及びチューナー３０２により受信したＴＳデータをユーザからの要求に応じて記録するハードディスク（ＨＤＤ）である。３１４は、ＤＴＶ装置に各種要求を伝えるリモコン装置である。３２０は、ＤＴＶ装置の各回路ブロック間の情報伝達を行なうためのインターフェース回路である。
【００２０】
次に、図３のＤＴＶ装置における通常の受信、録画動作について説明する。
【００２１】
ユーザは、リモコン装置３１４を操作することにより、電源オン、オフや、受信チャンネルの切り替え、ＥＰＧ（Ｅｌｅｃｔｒｏｎｉｃ  Ｐｒｏｇｒａｍ  Ｇｕｉｄｅ）の表示、録画、視聴予約等を指示することができる。
【００２２】
テレビ番組を視聴する場合、ユーザは、リモコン装置３１４を操作し、ＤＴＶ装置の電源オンを指示した後、視聴したいチャンネルを指示する。ＣＰＵ３１２は、リモコン装置３１４からの指示があると、チューナー３０２を制御して、指定されたチャンネルの放送波を受信して、復調回路３０３に送る。復調回路３０３は、受信した放送波から、画像、音声、データ放送、その他のデータが多重されたストリームを抽出し、ＴＳデコーダ回路３０４に送る。
【００２３】
現在放送されている地上デジタル放送やＢＳデジタル放送では、画像、音声及びデータ放送データがそれぞれＭＰＥＧ２−ＴＳの形態となっている。ＴＳデコーダ回路３０４は、ＭＰＥＧ２−ＴＳから画像データ、音声データ及びデータ放送データを分離する。そして、ＴＳデコーダ回路３０４は、画像データ、音声データ及びデータ放送データをそれぞれ映像デコーダ回路３０５、音声デコーダ回路３０６及びデータ放送デコーダ回路３０７に送る。
【００２４】
また、ＴＳデコーダ回路３０４は、ＭＰＥＧ２−ＴＳ中に含まれるＥＰＧデータを抽出し、インターフェース回路３２０を介してＲＡＭ３１１に保存する。
【００２５】
映像デコーダ回路３０５、データ放送デコーダ回路３０７は、それぞれ、画像データ、データ放送データをデコードし、画像合成回路３０８に出力する。また、音声デコーダ回路３０６は、音声データをデコードし、不図示のスピーカに出力する。
【００２６】
画像合成回路３０８は、放送番組表示の指示がある場合には映像デコーダ回路３０５からの映像データを選択し、モニタ３０９に出力することで、放送番組を表示する。また、リモコン装置３１４よりデータ放送の表示指示があると、ＣＰＵ３１２は、画像合成回路３０８を制御し、データ放送デコーダ回路３０７からデータ放送データを選択し、モニタ３０９に表示する。
【００２７】
また、この様に放送番組の視聴中に、リモコン装置３１４より録画指示があると、ＣＰＵ３１２は、ＴＳデコーダ回路３０４から出力されている受信中のストリームのデータをＨＤＤ３１３に送り、記録する。
【００２８】
次に、視聴予約、録画予約の処理を説明する。
【００２９】
実施形態１では、ＥＰＧを利用した予約処理を説明する。ＥＰＧは、電子番組ガイド情報と呼ばれ、放送番組のストリームに多重されている。上述したように、ＲＡＭ３１１には最新のＥＰＧデータが保存されている。
【００３０】
ユーザがリモコン装置３１４を操作して、番組表の表示を指示すると、ＣＰＵ３１２は、ＲＡＭ３１１に保存されているＥＰＧデータを読み出し、このＥＰＧデータに基づいて番組表のデータを生成して画像合成回路３０８に送る。そして、ＣＰＵ３１２は、画像合成回路３０８を制御して、この番組表をモニタ３０９に表示する。
【００３１】
ユーザは、リモコン装置３１４を操作することで、この番組表を利用して録画予約、視聴予約を行うことができる。
【００３２】
録画予約、視聴予約の指示があると、ＣＰＵ３１２は、指示された番組の放送日時やチャンネル、番組名等の情報をＥＰＧデータから取得し、録画予約又は視聴予約の何れかを示す情報（録画予約情報又は視聴予約情報）と共にＲＡＭ３１１に保存する。なお、ＣＰＵ３１２は、録画予約情報や、視聴予約情報等をＨＤＤ３１３に保存するようにしてもよい。但し、以下では説明の簡略化のため、これらの情報は、ＲＡＭ３１１に保存されるものとして説明を行なう。
【００３３】
また、ＣＰＵ３１２は、内蔵のタイマと、ＲＡＭ３１１に保存された録画予約情報と、に基づき、録画予約された日時になると、自動的にＤＴＶ装置の電源を投入して指定されたチャンネルの放送番組を受信し、ＨＤＤ３１３に保存する。また、ＣＰＵ３１２は、内蔵のタイマと、ＲＡＭ３１１に保存された視聴予約情報と、に基づき、録画予約された日時になると、自動的にＤＴＶ装置の電源を投入して指定されたチャンネルの放送番組を受信し、モニタ３０９に表示する。
【００３４】
次に、視聴予約に伴う処理について説明する。
【００３５】
図４は、実施形態１におけるＤＴＶ装置１００の視聴予約後の動作を示すフローチャートである。予め、ユーザは、リモコン装置１１０を用いて、ＤＴＶ装置１００に対して、午後９時から始まる番組Ａの視聴予約をしているものとする。視聴予約情報は、ＲＡＭ３１１に記録されている。
【００３６】
ステップＳ４０１において、ＣＰＵ３１２は、内蔵のタイマと、ＲＡＭ３１１に保存された視聴予約情報と、に基づき、現在時刻が、視聴予約された番組Ａの開始時刻（午後９時）の一定時間前か否かを判断する。ここで、ＣＰＵ３１２は、現在時刻が、番組開始時刻の一定時間前（例えば１分前、午後８時５９分）であると判断すると、ステップＳ４０２に進む。なお、１分前は、例示であり、例えば２分前等であってもよい。つまり、このことは、本実施形態を制限するものではない。この一定時間（１分前、２分前等）の情報は、予めプログラム等に設定されていてもよいし、例えばユーザがリモコン装置１１０を操作してＤＴＶ装置１００のＨＤＤ３１３（又はＲＡＭ３１１）等に設定してもよい。一方、ＣＰＵ３１２は、現在時刻が、番組開始の一定時間前でないと判断すると、ステップＳ４０１の判定処理を繰り返す。
【００３７】
ステップＳ４０２において、ＣＰＵ３１２は、リモコン装置１１０に対して予約時刻が接近していることを示す接近情報を通知する。予約時刻接近を通知されたリモコン装置１１０は、発音又は発光又は振動等を行い、ユーザに予約時刻接近を通知する。ユーザは、予約時刻接近を、リモコン装置１１０を通じて通知されると、リモコン装置１１０の電源ボタン２１０、又はリモコン装置１１０の視聴ボタン２２０を押すことにより、ＤＴＶ装置１００に対して視聴要求を送信することができる。
【００３８】
ステップＳ４０３において、ＣＰＵ３１２は、リモコン装置１１０から視聴要求を受け取ったか否かを判定する。ＣＰＵ３１２は、リモコン装置１１０から視聴要求を受け取ったと判定すると、ステップＳ４０４に進み、視聴要求を受け取っていないと判定すると、ステップＳ４０５に進む。
【００３９】
ステップＳ４０４において、ＣＰＵ３１２は、ＤＴＶ装置１００の電源（映像や音声等を出力するための電源）がＯＦＦの場合には、前記電源を入れ、視聴予約された番組Ａの映像及び音声を受信し、出力するよう、制御する。
【００４０】
一方、ユーザは、予約時刻接近を、リモコン装置１１０を通じて通知されたが、視聴することができない場合には、リモコン装置１１０の録画ボタン２３０を押すことにより、ＤＴＶ装置１００に対して録画要求を送信することができる。
【００４１】
ステップＳ４０５において、ＣＰＵ３１２は、リモコン装置１１０から録画要求を受け取ったか否かを判定する。ＣＰＵ３１２は、リモコン装置１１０から録画要求を受け取ったと判定すると、ステップＳ４０７に進み、録画要求を受け取っていないと判定すると、ステップＳ４０６に進む。
【００４２】
ステップＳ４０６において、ＣＰＵ３１２は、内蔵のタイマと、ＲＡＭ３１１に保存された視聴予約情報と、に基づき、現在時刻が、視聴予約された番組Ａの開始時刻（午後９時）か否かを判断する。ＣＰＵ３１２は、現在時刻が、視聴予約された番組Ａの開始時刻（午後９時）であると判断すると、ステップＳ４０７に進み、現在時刻が、まだ視聴予約された番組Ａの開始時刻（午後９時）でないと判断すると、ステップＳ４０３に戻る。
【００４３】
ステップＳ４０７において、ＣＰＵ３１２は、視聴予約された番組Ａの映像及び音声（ＴＳデータ）を受信し、ＨＤＤ３１３に録画する処理を開始する。ステップＳ４０８において、ＣＰＵ３１２は、リモコン装置１１０に対して、視聴予約された番組Ａの開始時刻到来を通知する。開始時刻到来を通知されたリモコン装置１１０は、予約時刻接近通知により開始した発音又は発光又は振動等の動作を中止する。
【００４４】
（実施形態２）
図５は、実施形態２におけるＤＴＶ装置等の外観図である。図５には、ＤＴＶ装置５００と、ＤＴＶ装置と通信可能な携帯電話装置５１０と、が表示されている。
【００４５】
図６は、携帯電話装置５１０のより詳細な外観図である。６００は携帯電話装置本体である。６１０は、ＤＴＶ装置に視聴要求を通知する視聴ボタンである。６２０は、ＤＴＶ装置に録画要求を通知するための録画ボタンである。また、携帯電話装置６００には、図６に示されるボタン以外に、ＤＴＶ装置に対して視聴予約するためのボタン、ＤＴＶ装置の番組チャネルを選択するためのチャネルアップダウンボタン、ＤＴＶ装置の音量を制御するためのアップダウンボタン等がある。なお、これらのボタンは、携帯電話装置５１０のハードウェアとしてではなく、携帯電話装置５１０のソフトウェアとして構成してもよい。
【００４６】
図７は、実施形態２におけるＤＴＶ装置の内部構成を示すブロック図である。７０１は、デジタル放送電波を受信するアンテナである。７０２は、アンテナ７０１から受信された電波を選局、同調するチューナーである。７０３は、選局された電波を復号し、信号に変換する復調回路である。７０４は、復調された信号からＴＳ信号を分離するＴＳデコーダ回路である。
【００４７】
７０５は、分離されたＴＳ信号より映像デコードを行う映像デコーダ回路である。７０６は、同じくＴＳ信号より音声デコードを行う音声デコーダ回路である。７０７は、同じくＴＳ信号よりデータ放送のデコードを行うデータ放送デコーダ回路である。７０８は、ＤＴＶ装置内部で作成された各種映像情報を合成して出力する画像合成回路である。
【００４８】
７０９は、ＤＴＶ装置の表示画面となるモニタである。７１０は、ＤＴＶ装置の各種制御のためのプログラム及び搭載されたアプリケーションのプログラム及び各種データを格納するＲＯＭである。７１１は、ＤＴＶ装置の各種制御の為のプログラム及び搭載されたアプリケーションのプログラム及び各種データを格納し、更に、前記アプリケーション（又は各種プログラム）を動作させるためのワークとなるＲＡＭである。７１２は、ＤＴＶ装置の各種制御及びアプリケーション（又はプログラム）を実行するＣＰＵである。
【００４９】
７１３は、アンテナ７０１及びチューナー７０２により受信したＴＳデータをユーザからの要求に応じて記録するハードディスク（ＨＤＤ）である。７１４は、ＤＴＶ装置と通信を行い、ＤＴＶ装置に各種要求を伝える携帯電話装置である。７２０は、ＤＴＶ装置の各回路ブロック間の情報伝達を行なうためのインターフェース回路である。７３０は、音声デコーダ回路７０６でデコードされた音声を出力するスピーカである。
【００５０】
次に、図７のＤＴＶ装置における通常の受信、録画動作について説明する。
【００５１】
ユーザは、携帯電話装置７１４を操作することにより、電源オン、オフや、受信チャンネルの切り替え、ＥＰＧの表示、録画、視聴予約等を指示することができる。
【００５２】
テレビ番組を視聴する場合、ユーザは、携帯電話装置７１４を操作し、ＤＴＶ装置の電源オンを指示した後、視聴したいチャンネルを指示する。ＣＰＵ７１２は、携帯電話装置７１４からの指示があると、チューナー７０２を制御して、指定されたチャンネルの放送波を受信して、復調回路７０３に送る。復調回路７０３は、受信した放送波から、画像、音声、データ放送、その他のデータが多重されたストリームを抽出し、ＴＳデコーダ回路７０４に送る。
【００５３】
ＴＳデコーダ回路７０４は、ＭＰＥＧ２−ＴＳから画像データ、音声データ及びデータ放送データを分離する。そして、ＴＳデコーダ回路７０４は、画像データ、音声データ及びデータ放送データをそれぞれ映像デコーダ回路７０５、音声デコーダ回路７０６及びデータ放送デコーダ回路７０７に送る。また、ＴＳデコーダ回路７０４は、ＭＰＥＧ２−ＴＳ中に含まれるＥＰＧデータを抽出し、インターフェース回路７２０を介してＲＡＭ７１１に保存する。
【００５４】
映像デコーダ回路７０５、データ放送デコーダ回路７０７は、それぞれ、画像データ、データ放送データをデコードし、画像合成回路７０８に出力する。また、音声デコーダ回路７０６は、音声データをデコードし、スピーカ７３０に出力する。
【００５５】
画像合成回路７０８は、放送番組表示の指示がある場合には映像デコーダ回路７０５からの映像データを選択し、モニタ７０９に出力することで、放送番組を表示する。また、携帯電話装置７１４よりデータ放送の表示指示があると、ＣＰＵ７１２は、画像合成回路７０８を制御し、データ放送デコーダ回路７０７からデータ放送データを選択し、モニタ７０９に表示する。
【００５６】
また、この様に放送番組の視聴中に、携帯電話装置７１４より録画指示があると、ＣＰＵ７１２は、ＴＳデコーダ回路７０４から出力されている受信中のストリームのデータをＨＤＤ７１３に送り、記録する。
【００５７】
次に、視聴予約、録画予約の処理を説明する。
【００５８】
実施形態１では、ＥＰＧを利用した予約処理を説明する。ＥＰＧは、電子番組ガイド情報と呼ばれ、放送番組のストリームに多重されている。上述したように、ＲＡＭ７１１には最新のＥＰＧデータが保存されている。
【００５９】
ユーザが携帯電話装置７１４を操作して、番組表の表示を指示すると、ＣＰＵ７１２は、ＲＡＭ７１１に保存されているＥＰＧデータを読み出し、このＥＰＧデータに基づいて番組表のデータを生成して画像合成回路７０８に送る。そして、ＣＰＵ７１２は、画像合成回路７０８を制御して、この番組表をモニタ７０９に表示する。
【００６０】
ユーザは、携帯電話装置７１４を操作することで、この番組表を利用して録画予約、視聴予約を行うことができる。
【００６１】
録画予約、視聴予約の指示があると、ＣＰＵ７１２は、指示された番組の放送日時やチャンネル、番組名等の情報をＥＰＧデータから取得し、録画予約又は視聴予約の何れかを示す情報（録画予約情報又は視聴予約情報）と共にＲＡＭ７１１に保存する。なお、ＣＰＵ７１２は、録画予約情報や、視聴予約情報等をＨＤＤ７１３に保存するようにしてもよい。但し、以下では説明の簡略化のため、これらの情報は、ＲＡＭ７１１に保存されるものとして説明を行なう。
【００６２】
また、ＣＰＵ７１２は、内蔵のタイマと、ＲＡＭ７１１に保存された録画予約情報と、に基づき、録画予約された日時になると、自動的にＤＴＶ装置の電源を投入して指定されたチャンネルの放送番組を受信し、ＨＤＤ７１３に保存する。また、ＣＰＵ７１２は、内蔵のタイマと、ＲＡＭ７１１に保存された視聴予約情報と、に基づき、録画予約された日時になると、自動的にＤＴＶ装置の電源を投入して指定されたチャンネルの放送番組を受信し、モニタ７０９に表示する。
【００６３】
次に、視聴予約に伴う処理について説明する。
【００６４】
図８は、実施形態２におけるＤＴＶ装置５００の視聴予約後の動作を示すフローチャートである。予め、ユーザは、携帯電話装置５１０を用いて、ＤＴＶ装置５００に対して、午後１０時から始まる番組Ｂの視聴予約をしているものとする。視聴予約情報は、ＲＡＭ３１１に記録されている。
【００６５】
ステップＳ８０１において、ＣＰＵ３１２は、内蔵のタイマと、ＲＡＭ３１１に保存された視聴予約情報と、に基づき、現在時刻が、視聴予約された番組Ｂの開始時刻（午後１０時）の一定時間前か否かを判断する。ここで、ＣＰＵ３１２は、現在時刻が、番組開始時刻の一定時間前（例えば１分前、午後９時５９分）であると判断すると、ステップＳ８０２に進む。なお、１分前は、例示であり、例えば２分前等であってもよい。つまり、このことは、本実施形態を制限するものではない。この一定時間（１分前、２分前等）の情報は、予めプログラム等に設定されていてもよいし、例えばユーザが携帯電話装置５１０を操作してＤＴＶ装置５００のＨＤＤ３１３（又はＲＡＭ３１１）等に設定してもよい。一方、ＣＰＵ３１２は、現在時刻が、番組開始の一定時間前でないと判断すると、ステップＳ８０１の判定処理を繰り返す。
【００６６】
ステップＳ８０２において、ＣＰＵ３１２は、スピーカ７３０から音声を発することにより、ユーザに対して予約時刻接近を通知する。一方、携帯電話装置７１４は、ユーザが視聴予約を行なった際、視聴予約された番組Ｂの開始時刻等を自装置のメモリに保持しておくようにしてもよい。そして、携帯電話装置７１４は、前記開始時刻と、自装置のタイマと、に基づいて、現在時刻が、番組開始時刻の一定時間前であると判断すると、発音又は発光又は振動等を行い、ユーザに予約時刻接近を通知するようにしてもよい。更に、実施形態１に示したように、ＤＴＶ装置５００が、携帯電話装置５１０に対して予約時刻が接近していることを示す接近情報を通知するようにしてもよい。そして、予約時刻接近を通知された携帯電話装置５１０は、発音又は発光又は振動等を行い、ユーザに予約時刻接近を通知するようにしてもよい。なお、携帯電話装置５１０は、ユーザに予約時刻接近通知を知らせるため、発音又は発光又は振動等の動作を行なった場合、予め定められた時間、動作を行なった後、その動作を終える。
ユーザは、予約時刻接近を通知されると、携帯電話装置５１０の視聴ボタン６１０を押すことにより、ＤＴＶ装置５００に対して視聴要求を送信する。
【００６７】
ステップＳ８０３において、ＣＰＵ３１２は、携帯電話装置５１０から視聴要求を受け取ったか否かを判定する。ＣＰＵ３１２は、携帯電話装置５１０から視聴要求を受け取ったと判定すると、ステップＳ８０４に進み、視聴要求を受け取っていないと判定すると、ステップＳ８０５に進む。
【００６８】
ステップＳ８０４において、ＣＰＵ３１２は、ＤＴＶ装置５００の電源（映像や音声等を出力するための電源）がＯＦＦの場合には、前記電源を入れ、視聴予約された番組Ｂの映像及び音声を受信し、出力するよう、制御する。
【００６９】
一方、ユーザは、予約時刻接近を通知されたが、視聴することができない場合、リモコン装置１１０の録画ボタン６２０を押すことにより、ＤＴＶ装置５００に対して録画要求を送信する。
【００７０】
ステップＳ８０５において、ＣＰＵ３１２は、携帯電話装置５１０から録画要求を受け取ったか否かを判定する。ＣＰＵ３１２は、携帯電話装置５１０から録画要求を受け取ったと判定すると、ステップＳ８０７に進み、録画要求を受け取っていないと判定すると、ステップＳ８０６に進む。
【００７１】
ステップＳ８０６において、ＣＰＵ３１２は、内蔵のタイマと、ＲＡＭ３１１に保存された視聴予約情報と、に基づき、現在時刻が、視聴予約された番組Ｂの開始時刻（午後１０時）か否かを判断する。ＣＰＵ３１２は、現在時刻が、視聴予約された番組Ｂの開始時刻（午後１０時）であると判断すると、ステップＳ８０７に進み、現在時刻が、まだ視聴予約された番組Ｂの開始時刻（午後１０時）でないと判断すると、ステップＳ８０３に戻る。
【００７２】
ステップＳ８０７において、ＣＰＵ３１２は、視聴予約された番組Ｂの映像及び音声（ＴＳデータ）を受信し、ＨＤＤ３１３に録画する処理を開始する。
【００７３】
以上、上述した各実施形態によれば、視聴予約された放送番組を確実に視聴できるようにすることができる。
【００７４】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００７５】
【図１】実施形態１におけるＤＴＶ装置等の外観図である。
【図２】リモコン装置１１０のより詳細な外観図である。
【図３】実施形態１におけるＤＴＶ装置の内部構成を示すブロック図である。
【図４】実施形態１におけるＤＴＶ装置１００の視聴予約後の動作を示すフローチャートである。
【図５】実施形態２におけるＤＴＶ装置等の外観図である。
【図６】携帯電話装置５１０のより詳細な外観図である。
【図７】実施形態２におけるＤＴＶ装置の内部構成を示すブロック図である。
【図８】実施形態２におけるＤＴＶ装置５００の視聴予約後の動作を示すフローチャートである。
【符号の説明】
【００７６】
１００  ＤＴＶ装置
１１０  リモコン装置
５００  ＤＴＶ装置
５１０  携帯電話装置
【図１】
2007281602.tif 000003
【図２】
2007281602.tif 000004
【図３】
2007281602.tif 000005
【図４】
2007281602.tif 000006
【図５】
2007281602.tif 000007
【図６】
2007281602.tif 000008
【図７】
2007281602.tif 000009
【図８】
2007281602.tif 000010